(57)【要約】【課題】本発明は、高密度実装が可能になるコイル部品を提供することを目的とするものである。【解決手段】本発明のコイル部品は、第１のコイル導体と、この第１のコイル導体と接続された第１の引出電極と、前記第１のコイル導体と対向する第２のコイル導体と、この第２のコイル導体と接続された第２の引出電極と、前記第１、第２のコイル導体と第１、第２の引出電極を備えた複数の絶縁層と、これらを一体化して構成された本体１７と、前記第１、第２のコイル導体、第１、第２の引出電極と接続された外部電極１８〜２１とを備え、前記本体１７の上面１７ｂに位置する前記外部電極１８〜２１にバンプ２２を配置するとともに、前記本体１７の端面１７ａに設けられた前記外部電極１８〜２１を絶縁膜２３で覆うようにしたものである。【選択図】図１
2008198923.tif 000002
【特許請求の範囲】
【請求項１】
第１のコイル導体と、一端部が前記第１のコイル導体の一端部と第１のビアを介して接続された第１の引出電極と、前記第１のコイル導体と対向するように設けられた第２のコイル導体と、一端部が前記第２のコイル導体の一端部と第２のビアを介して接続された第２の引出電極と、前記第１のコイル導体および第２のコイル導体と第１の引出電極および第２の引出電極を上面に備えた複数の絶縁層と、これらを一体化して構成された本体と、前記第１のコイル導体、第２のコイル導体、第１の引出電極、第２の引出電極のそれぞれの他端部と接続された４つの外部電極とを備え、前記４つの外部電極をそれぞれ前記本体の端面、上面の一部および下面の一部に連続するように設け、かつ前記本体の上面に位置する外部電極にバンプを配置するとともに、前記本体の端面に設けられた前記外部電極を絶縁膜で覆うようにしたコイル部品。
【請求項２】
第１のコイル導体と、一端部が前記第１のコイル導体の一端部と第１のビアを介して接続された第１の引出電極と、前記第１のコイル導体と対向するように設けられた第２のコイル導体と、一端部が前記第２のコイル導体の一端部と第２のビアを介して接続された第２の引出電極と、前記第１のコイル導体および第２のコイル導体と第１の引出電極および第２の引出電極を上面に備えた複数の絶縁層と、これらを一体化して構成された本体と、前記本体の上面に形成され、かつ前記第１のコイル導体、第２のコイル導体、第１の引出電極、第２の引出電極のそれぞれの他端部と接続された４つのバンプとを備え、前記本体の内部に設けられた第３のビアを介して前記第１のコイル導体、第２のコイル導体、第１の引出電極、第２の引出電極のそれぞれの他端部と前記バンプとを接続したコイル部品。
【請求項３】
第１のコイル導体と接続された第１のビアを渦巻状または螺旋状の第２のコイル導体の内側に形成した請求項２記載のコイル部品。
【請求項４】
第１のコイル導体と第２のコイル導体との間に位置する絶縁層に形成された第１のビアの周囲に磁性部を設けた請求項３記載のコイル部品。
【請求項５】
バンプと、第１のコイル導体、第２のコイル導体、第１の引出電極、第２の引出電極のうち最も上部に位置する部分との間の絶縁層を他の絶縁層の誘電率よりも低い誘電率の材料で構成した請求項２記載のコイル部品。
【発明の詳細な説明】
【技術分野】
【０００１】
本発明は、デジタル機器やＡＶ機器、情報通信端末等の各種電子機器に使用されるコイル部品に関するものである。
【背景技術】
【０００２】
従来のこの種のコイル部品は、図１１、図１２に示すように、複数の絶縁層１ａ〜１ｅと、前記複数の絶縁層１ａ〜１ｅのそれぞれに設けられた第１〜第４の導体２〜５とを備え、前記第１の導体２と第２の導体３とを接続し、かつ前記第３の導体４と第４の導体５とを接続し、さらに、前記第２の導体３と第３の導体４とを互いに対向させ、そしてこれらを一体化して本体６を構成し、その後、本体６の両端部に外部電極７ａ〜７ｄを形成していた。
【０００３】
なお、この出願の発明に関する先行技術文献情報としては、例えば、特許文献１が知られている。
【特許文献１】特開２００３−１２４０２８号公報
【発明の開示】
【発明が解決しようとする課題】
【０００４】
上記した従来のコイル部品においては、外部電極７ａ〜７ｄが本体６の両端部に形成されているため、このコイル部品を実装基板に実装した場合、外部電極７ａ〜７ｄの外側にはんだフィレットが付着して高密度実装ができないという課題を有していた。
【０００５】
本発明は上記従来の課題を解決するもので、高密度実装が可能になるコイル部品を提供することを目的とするものである。
【課題を解決するための手段】
【０００６】
上記目的を達成するために、本発明は以下の構成を有するものである。
【０００７】
本発明の請求項１に記載の発明は、第１のコイル導体と、一端部が前記第１のコイル導体の一端部と第１のビアを介して接続された第１の引出電極と、前記第１のコイル導体と対向するように設けられた第２のコイル導体と、一端部が前記第２のコイル導体の一端部と第２のビアを介して接続された第２の引出電極と、前記第１のコイル導体および第２のコイル導体と第１の引出電極および第２の引出電極を上面に備えた複数の絶縁層と、これらを一体化して構成された本体と、前記第１のコイル導体、第２のコイル導体、第１の引出電極、第２の引出電極のそれぞれの他端部と接続された４つの外部電極とを備え、前記４つの外部電極をそれぞれ前記本体の端面、上面の一部および下面の一部に連続するように設け、かつ前記本体の上面に位置する外部電極にバンプを配置するとともに、前記本体の端面に設けられた前記外部電極を絶縁膜で覆うようにしたもので、この構成によれば、本体の端面に設けられた外部電極を絶縁膜で覆うようにしているため、外部電極の端面の外側にはんだフィレットが付着するということはなくなり、これにより、占有面積、実装性能に優れたＢＧＡ（Ｂａｌｌ  Ｇｒｉｄ  Ａｒｒａｙ）による高密度実装が可能になるという作用効果が得られるものである。
【０００８】
本発明の請求項２に記載の発明は、第１のコイル導体と、一端部が前記第１のコイル導体の一端部と第１のビアを介して接続された第１の引出電極と、前記第１のコイル導体と対向するように設けられた第２のコイル導体と、一端部が前記第２のコイル導体の一端部と第２のビアを介して接続された第２の引出電極と、前記第１のコイル導体および第２のコイル導体と第１の引出電極および第２の引出電極を上面に備えた複数の絶縁層と、これらを一体化して構成された本体と、前記本体の上面に形成され、かつ前記第１のコイル導体、第２のコイル導体、第１の引出電極、第２の引出電極のそれぞれの他端部と接続された４つのバンプとを備え、前記本体の内部に設けられた第３のビアを介して前記第１のコイル導体、第２のコイル導体、第１の引出電極、第２の引出電極のそれぞれの他端部と前記バンプとを接続したもので、この構成によれば、本体の上面に設けられたバンプと第１のコイル導体、第１の引出電極、第２のコイル導体、第２の引出電極とを本体の内部に設けられた第３のビアを介して接続しているため、本体の端面に外部電極を形成する必要はなく、これにより、はんだフィレットが付着するということはなくなるため、占有面積、実装性能に優れたＢＧＡによる高密度実装が可能になるとともに外部電極の形成方法が簡素化できるという作用効果が得られるものである。
【０００９】
本発明の請求項３に記載の発明は、特に、第１のコイル導体と接続された第１のビアを渦巻状または螺旋状の第２のコイル導体の内側に形成したもので、この構成によれば、第１のコイル導体と第１の引出電極とを接続する第１のビアを第２のコイル導体の内側に形成した分だけ前記第１の引出電極と接続されるバンプの形成位置を内側にすることができるため、本体を大きくすることなく、はんだフィレットが付着するのを防止でき、これにより、より高密度実装が可能になるという作用効果が得られるものである。
【００１０】
本発明の請求項４に記載の発明は、特に、第１のコイル導体と第２のコイル導体との間に位置する絶縁層に形成された第１のビアの周囲に磁性部を設けたもので、この構成によれば、第１のコイル導体および第２のコイル導体で発生した磁界を磁性部の中に通すことができるため、第１のコイル導体と第２のコイル導体との磁気的結合を強くすることができ、これにより、より多くのコモンモードノイズを除去できるという作用効果が得られるものである。
【００１１】
本発明の請求項５に記載の発明は、特に、バンプと、第１のコイル導体、第２のコイル導体、第１の引出電極、第２の引出電極のうち最も上部に位置する部分との間の絶縁層を他の絶縁層の誘電率よりも低い誘電率の材料で構成したもので、この構成によれば、バンプと、第１のコイル導体、第２のコイル導体、第１の引出電極、第２の引出電極との間の浮遊容量を低減できるため、より高周波帯域のコモンモードノイズを除去できるという作用効果が得られるものである。
【発明の効果】
【００１２】
以上のように本発明のコイル部品は、４つの外部電極をそれぞれ本体の端面、上面の一部および下面の一部に連続するように設け、かつ前記本体の上面に位置する外部電極にバンプを配置するとともに、前記本体の端面に設けられた前記外部電極を絶縁膜で覆うようにしているため、外部電極の端面の外側にはんだフィレットが付着するということはなくなり、これにより、占有面積、実装性能に優れたＢＧＡによる高密度実装が可能になるという優れた効果を奏するものである。
【発明を実施するための最良の形態】
【００１３】
（実施の形態１）
以下、実施の形態１を用いて、本発明の特に請求項１に記載の発明について、図面を参照しながら説明する。
【００１４】
図１は本発明の実施の形態１におけるコイル部品の一例であるコモンモードノイズフィルタの斜視図、図２は同コモンモードノイズフィルタの分解斜視図である。
【００１５】
なお、本発明の実施の形態１〜３におけるコモンモードノイズフィルタは、バンプが形成された面が下側になって実装されるものであるが、内容をわかり易くするために以下の説明では上側にバンプが形成されたものについて説明する。
【００１６】
したがって、本発明の請求項の記載、実施の形態と、実装されたコモンモードノイズフィルタとは上下が逆になる。
【００１７】
本発明の実施の形態１におけるコモンモードノイズフィルタは、図１、図２に示すように、第１のコイル導体１１と、一端部１２ａが前記第１のコイル導体１１の一端部１１ａと第１のビア１３ａを介して接続された第１の引出電極１２と、前記第１のコイル導体１１と対向するように設けられた第２のコイル導体１４と、一端部１５ａが前記第２のコイル導体１４の一端部１４ａと第２のビア１３ｂを介して接続された第２の引出電極１５と、前記第１のコイル導体１１、第１の引出電極１２、第２のコイル導体１４、第２の引出電極１５を上面に備えた複数の絶縁層１６ａ〜１６ｄと、これらを一体化して構成された本体１７と、前記第１のコイル導体１１、第１の引出電極１２、第２のコイル導体１４、第２の引出電極１５のそれぞれの他端部１１ｂ，１２ｂ，１４ｂ，１５ｂと接続された４つの第１〜第４の外部電極１８〜２１とを備えているものである。
【００１８】
また、前記第１〜第４の外部電極１８〜２１はそれぞれ本体１７の端面１７ａ、上面１７ｂの一部および下面１７ｃの一部に連続するように設けられ、かつ前記本体１７の上面１７ｂに位置する外部電極１８〜２１にバンプ２２を配置するとともに、前記本体１７の端面１７ａに設けられた外部電極１８〜２１は絶縁膜２３で覆われているものである。
【００１９】
上記構成において、第１のコイル導体１１は、銀などの導電材料をめっきすることにより渦巻状に形成されているもので、第２の絶縁層１６ｂの上面に設けられている。
【００２０】
前記第１の引出電極１２は、導電材料をめっきすることにより形成されるもので、第２の絶縁層１６ｂより下方に位置する第１の絶縁層１６ａの上面に設けられている。また、第２の絶縁層１６ｂの所定箇所には第１のビア１３ａが設けられ、かつ第１の引出電極１２の一端部１２ａは、第１のコイル導体１１の一端部１１ａと第１のビア１３ａを介して接続されている。
【００２１】
前記第２のコイル導体１４は、銀などの導電材料をめっきすることにより渦巻状に形成されるもので、第２の絶縁層１６ｂより上方に位置する第３の絶縁層１６ｃの上面に設けられている。また、この第２のコイル導体１４は前記第１のコイル導体１１と対向するように設けられている。
【００２２】
前記第２の引出電極１５は、導電材料をめっきすることにより形成されるもので、第３の絶縁層１６ｃより上方に位置する第４の絶縁層１６ｄの上面に設けられている。また、第４の絶縁層１６ｄの所定箇所には第２のビア１３ｂが設けられ、かつ前記第２の引出電極１５の一端部１５ａは、第２のコイル導体１４の一端部１４ａと第２のビア１３ｂを介して接続されている。なお、前記第２の引出電極１５の上面には第５の絶縁層１６ｅが設けられており、そして前記第１のビア１３ａと第２のビア１３ｂは、貫通孔に導体を充填することにより構成している。
【００２３】
前記第１〜第５の絶縁層１６ａ〜１６ｅは、絶縁性の材料からなるもので、第３の絶縁層１６ｃは非磁性材料であるＣｕ−Ｚｎ系フェライトやガラスセラミックで構成され、かつ第１、第２、第４、第５の絶縁層１６ａ，１６ｂ，１６ｄ，１６ｅは、磁性材料であるＮｉ−Ｚｎ系フェライトで構成されている。
【００２４】
前記本体１７は、前記第１のコイル導体１１、第１の引出電極１２、第２のコイル導体１４、第２の引出電極１５および第１〜第５の絶縁層１６ａ〜１６ｅを上記したような構成で積層し、そして一体化することによって構成される。
【００２５】
また、前記本体１７の端面１７ａ、上面１７ｂの一部および下面１７ｃの一部には連続するように第１〜第４の外部電極１８〜２１がそれぞれ設けられ、そしてこの外部電極１８〜２１は、銀を印刷することによって形成され、さらにその表面にはニッケルめっき層、すずめっき層が施されているものである。
【００２６】
そしてまた、前記第１のコイル導体１１の他端部１１ｂと第１の外部電極１８、第１の引出電極１２の他端部１２ｂと第２の外部電極１９、第２のコイル導体１４の他端部１４ｂと第３の外部電極２０、第２の引出電極１５の他端部１５ｂと第４の外部電極２１はそれぞれ接続され、さらに、前記本体１７の上面１７ｂに位置する第１〜第４の外部電極１８〜２１には、すずを主成分とした球状のはんだボールまたは銅等を主成分とした金属球の表面にすず等をコーティングしてなる外部入出力接続用のバンプ２２が接続されている。また、前記本体１７の端面１７ａに位置する第１〜第４の外部電極１８〜２１は、エポキシ樹脂等からなる絶縁膜２３で覆われているものである。
【００２７】
そして、このコモンモードノイズフィルタを実装基板に実装する場合は、本体１７の上下を逆にし、バンプ２２が形成された面を下にしてバンプ２２と実装用のはんだとを接合することによって、コモンモードノイズフィルタを実装基板に実装する。
【００２８】
なお、前記第１のコイル導体１１、第１の引出電極１２、第２のコイル導体１４、第２の引出電極１５は、めっきで形成するのではなく、その他の印刷や蒸着等の方法で形成してもよい。また、第１〜第５の絶縁層１６ａ〜１６ｅは、それぞれ図２に示されているように１枚で構成するのではなく、複数枚で構成してもよい。
【００２９】
次に、本発明の実施の形態１におけるコイル部品の一例であるコモンモードノイズフィルタの製造方法について説明する。
【００３０】
図１、図２において、まず、それぞれの原材料である磁性材料や非磁性材料の粉体および樹脂からなる混合物により、方形の第１〜第５の絶縁層１６ａ〜１６ｅをそれぞれ所定枚数作製する。このとき、第２の絶縁層１６ｂ、第４の絶縁層１６ｄの所定箇所にレーザ、パンチングなどで孔あけ加工をし、この孔に銀を充填して第１のビア１３ａと第２のビア１３ｂを形成する。
【００３１】
次に、第１の絶縁層１６ａの上面に第１の引出電極１２をめっきによって形成する。
【００３２】
次に、第１の引出電極１２の上面に第１のビア１３ａが設けられた第２の絶縁層１６ｂを積層する。このとき、第１の引出電極１２の一端部１２ａと第１のビア１３ａとを接続する。
【００３３】
次に、第２の絶縁層１６ｂの上面に第１のコイル導体１１をめっきによって渦巻状に形成する。このとき、第１のコイル導体１１の一端部１１ａと第１のビア１３ａとを接続する。
【００３４】
次に、第１のコイル導体１１の上面に第３の絶縁層１６ｃを積層し、その後、第３の絶縁層１６ｃの上面に第２のコイル導体１４をめっきによって渦巻状に形成する。
【００３５】
次に、第２のコイル導体１４の上面に第２のビア１３ｂが設けられた第４の絶縁層１６ｄを積層する。このとき、第２のコイル導体１４の一端部１４ａと第２のビア１３ｂとを接続する。
【００３６】
次に、第４の絶縁層１６ｄの上面に第２の引出電極１５をめっきによって形成する。このとき、第２の引出電極１５の一端部１５ａと第２のビア１３ｂとを接続する。
【００３７】
なお、上記第１のコイル導体１１、第１の引出電極１２、第２のコイル導体１４、第２の引出電極１５の形成方法は、別途用意したベース板（図示せず）に所定パターン形状の導体をめっきによって形成し、その後、この導体を各絶縁体層に転写することにより形成する。
【００３８】
次に、第２の引出電極１５の上面に第５の絶縁層１６ｅを積層して一体化することにより、本体１７を構成する。
【００３９】
次に、本体１７を約９００℃の温度で所定時間焼成し、その後、本体１７の端面１７ａ、上面１７ｂの一部および下面１７ｃの一部に連続するように第１〜第４の外部電極１８〜２１を形成する。なお、この第１〜第４の外部電極１８〜２１は銀を印刷することによって形成する。このとき、第１のコイル導体１１の他端部１１ｂと第１の外部電極１８、第１の引出電極１２の他端部１２ｂと第２の外部電極１９、第２のコイル導体１４の他端部１４ｂと第３の外部電極２０、第２の引出電極１５の他端部１５ｂと第４の外部電極２１をそれぞれ接続する。
【００４０】
次に、第１〜第４の外部電極１８〜２１の表面にめっきによってニッケルめっき層、すずめっき層を形成する。
【００４１】
最後に、本体１７の端面１７ａに位置する第１〜第４の外部電極１８〜２１を絶縁膜２３で覆うとともに、本体１７の上面１７ｂに位置する第１〜第４の外部電極１８〜２１の上面に球状の金属を載置し、そして約２００℃〜２６０℃で加熱してバンプ２２を第１〜第４の外部電極１８〜２１に接続するものである。
【００４２】
上記した本発明の実施の形態１においては、本体１７の端面１７ａに設けられた第１〜第４の外部電極１８〜２１を絶縁膜２３で覆うようにしているため、第１〜第４の外部電極１８〜２１の端面の外側にはんだフィレットが付着するということはなくなり、これにより、複数の絶縁層１６ａ〜１６ｅと複数の導体１１，１４および引出電極１２，１５とを積層したコイル部品において、占有面積、実装性能に優れたＢＧＡによる高密度実装が可能になるという効果が得られるものである。
【００４３】
また、本発明の実施の形態１においては、図１１、図１２に示すような従来の構成に対して、バンプ２２、絶縁膜２３を追加するだけで所期の目的を達成することができ、さらに従来の生産設備もそのまま使用することができるため、高密度実装が可能なコモンモードノイズフィルタを容易に得ることができるという効果が得られる。
【００４４】
なお、上記本発明の実施の形態１におけるコモンモードノイズフィルタにおいては、第１〜第５の絶縁層１６ａ〜１６ｅとしてフェライトからなる磁性材料、非磁性材料を用いたものについて説明したが、図３に示すように、第１〜第５の絶縁層１６ａ〜１６ｅのうち一部をポリイミド等の樹脂１７ｄで形成し、そしてその上面にコイル導体を設けたものを用いてもよいものである。
【００４５】
（実施の形態２）
以下、実施の形態２を用いて、本発明の特に請求項２，５に記載の発明について、図面を参照しながら説明する。
【００４６】
図４は本発明の実施の形態２におけるコイル部品の一例であるコモンモードノイズフィルタの斜視図、図５は同コモンモードノイズフィルタの上面図、図６は同コモンモードノイズフィルタの分解斜視図である。なお、この本発明の実施の形態２においては、上記した本発明の実施の形態１と同様の構成を有するものについては、同一符号を付しており、その説明は省略する。
【００４７】
図４〜図６において、本発明の実施の形態２が上記した本発明の実施の形態１と相違する点は、第１〜第４の外部電極１８〜２１を形成せず、そして第１のコイル導体１１、第１の引出電極１２、第２のコイル導体１４、第２の引出電極１５のそれぞれの他端部１１ｂ，１２ｂ，１４ｂ，１５ｂとバンプ２２をそれぞれ第３のビア１３ｃを介して接続するようにした点である。
【００４８】
この場合、第３のビア１３ｃは４つ形成しているもので、第１の引出電極１２の他端部１２ｂと接続される第３のビア１３ｃは第２〜第５の絶縁層１６ｂ〜１６ｅに形成し、かつ第１のコイル導体１１の他端部１１ｂと接続される第３のビア１３ｃは第３〜第５の絶縁層１６ｃ〜１６ｅに形成し、さらに第２のコイル導体１４の他端部１４ｂと接続される第３のビア１３ｃは第４〜第５の絶縁層１６ｄ〜１６ｅに形成し、そしてまた第２の引出電極１５の他端部１５ｂと接続される第３のビア１３ｃは第５の絶縁層１６ｅに形成しているものである。これにより、各他端部１１ｂ，１２ｂ，１４ｂ，１５ｂは、本体１７の上面に引き出されるとともに、本体１７の上面に形成された４つのバンプ２２とそれぞれ接続されるものである。
【００４９】
なお、前記本体１７の上面にはバンプ２２を形成するために４つの電極パッド２４が形成されている。そしてこの電極パッド２４は下から順にＡｇ，Ｎｉ，Ｓｎで構成されている。すなわち、本体１７の上面にＡｇを印刷して硬化させた後、Ｎｉ，Ｓｎをそれぞれめっきすることによって構成される。
【００５０】
また、この電極パッド２４は前記第３のビア１３ｃと接続され、これにより、第１のコイル導体１１、第１の引出電極１２、第２のコイル導体１４、第２の引出電極１５のそれぞれの他端部１１ｂ，１２ｂ，１４ｂ，１５ｂとバンプ２２が第１〜第４の外部電極１８〜２１を介さずに第３のビア１３ｃを介して接続されるものである。
【００５１】
なお、前記第３のビア１３ｃは第１のコイル導体１１、第２のコイル導体１４の最外部よりも外側に設けられ、貫通孔に導体を充填することにより形成されている。
【００５２】
上記したような構成にすれば、本体１７の端面１７ａに外部電極１８〜２１を形成する必要はなくなるため、はんだフィレットが付着するということはなくなり、これにより、複数の絶縁層１６ａ〜１６ｅと複数の導体１１，１４および引出電極１２，１５とを積層したコイル部品において、占有面積、実装性能に優れたＢＧＡによる高密度実装が可能になるとともに、絶縁膜２３が不要となるため、工法が簡素化できるという効果が得られるものである。
【００５３】
また、第１のコイル導体１１、第２のコイル導体１４、第１の引出電極１２、第２の引出電極１５の積層方向と外部電極とが平行となっている（対向している）ため、第１のコイル導体１１、第２のコイル導体１４、第１の引出電極１２、第２の引出電極１５と外部電極との間の浮遊容量は大きくなるが、本発明では外部電極を用いずにビアを用いているため、ビアの径は通常、外部電極の幅より小さく、これにより、第１のコイル導体１１、第２のコイル導体１４、第１の引出電極１２、第２の引出電極１５と第３のビア１３ｃとの間の浮遊容量を低減することができるため、より高周波帯域のコモンモードノイズを除去することができる。
【００５４】
そしてまた、バンプ２２と、第１のコイル導体１１、第２のコイル導体１４、第１の引出電極１２、第２の引出電極１５のうち最も上部に位置する第２の引出電極１５との間の第５の絶縁層１６ｅを、他の絶縁層１６ａ〜１６ｄの誘電率よりも低い誘電率の材料で構成すれば、バンプ２２と、第１のコイル導体１１、第２のコイル導体１４、第１の引出電極１２、第２の引出電極１５との間の浮遊容量を低減することができるため、より高周波帯域のコモンモードノイズを除去できる。
【００５５】
（実施の形態３）
以下、実施の形態３を用いて、本発明の特に請求項３，４に記載の発明について、図面を参照しながら説明する。
【００５６】
図７は本発明の実施の形態３におけるコイル部品の一例であるコモンモードノイズフィルタの分解斜視図、図８は同コモンモードノイズフィルタの主要部の上面図である。なお、この本発明の実施の形態３においては、上記した本発明の実施の形態１，２と同様の構成を有するものについては、同一符号を付しており、その説明は省略する。
【００５７】
図７、図８において、本発明の実施の形態３が上記した本発明の実施の形態２と相違する点は、第１のコイル導体１１と接続された第１のビア１３ａを、渦巻状または螺旋状の第２のコイル導体１４の内側に形成した点である。ここで、第２のコイル導体１４の「内側」とは、第２のコイル導体１４のうち最も渦巻き、螺旋の中心部に位置する部分よりも、さらに渦巻き、螺旋の中心部にあることをいう。
【００５８】
なお、図８は説明を簡単にするために、第３の絶縁層１６ｃ、第１の引出電極１２、第２のコイル導体１４、第２の引出電極１５のみを示している。
【００５９】
この場合、第２のコイル導体１４は形状を渦巻状とし、そして第１のコイル導体１１と接続される第１の引出電極１２は第２のコイル導体１４と接続される第１の引出電極１５と同一面（第４の絶縁層１６ｄ上面）に形成し、さらにこの第１の引出電極１２の他端部１２ｂと接続される第３のビア１３ｃは第５の絶縁層１６ｅのみに形成している。また、前記第１のコイル導体１１と第１の引出電極１２とを接続する第１のビア１３ａは第３の絶縁層１６ｃと第４の絶縁層１６ｄに形成し、さらに前記第１のコイル導体１１の他端部１１ｂと接続される第３のビア１３ｃは、本発明の実施の形態２と同様に第３〜第５の絶縁層１６ｃ〜１６ｅに形成している。そしてまた、前記第２のコイル導体１４は形状を螺旋状としてもよい。
【００６０】
上記した構成にすれば、第１のコイル導体１１と第１の引出電極１２とを接続する第１のビア１３ａを第２のコイル導体１４の内側に形成した分だけ第１の引出電極１２と接続されるバンプ２２の形成位置を内側に設けることができるため、本体１７を大きくすることなく、はんだフィレットが付着するのを防止でき、これにより、小型の形状で、より高密度実装が可能になるという効果が得られるものである。
【００６１】
また、図９、図１０に示すように、第１のコイル導体１１と第２のコイル導体１４との間に位置する第３の絶縁層１６ｃに形成された第１のビア１３ａの周囲に磁性部２５を設けるようにすれば、第１のコイル導体１１および第２のコイル導体１４で発生した磁界を磁性部２５の中に通すことができるため、第１のコイル導体１１と第２のコイル導体１４との磁気的結合を強くすることができ、これにより、より多くのコモンモードノイズを除去できるという効果が得られるものである。
【００６２】
なお、図１０は説明を簡単にするために、第３の絶縁層１６ｃ、第１のコイル導体１１と接続された第１のビア１３ａ、磁性部２５のみを示している。
【００６３】
また、上記本発明の実施の形態１〜３におけるコイル部品においては、コイル導体を一対設けたものについて説明したが、コイル導体を２対以上形成してアレイタイプとしてもよいものである。
【００６４】
そして、本発明のコイル部品においては、その一例としてコモンモードノイズフィルタについて説明したが、他のコイル部品、例えばチップビーズ等にも適用できる。
【産業上の利用可能性】
【００６５】
本発明に係るコイル部品は、高密度実装が可能になるという効果を有するものであり、デジタル機器やＡＶ機器、情報通信端末等の各種電子機器に使用されるコイル部品等において有用となるものである。
【図面の簡単な説明】
【００６６】
【図１】本発明の実施の形態１におけるコイル部品の一例であるコモンモードノイズフィルタの斜視図
【図２】同コモンモードノイズフィルタの分解斜視図
【図３】同コモンモードノイズフィルタの他の例を示す斜視図
【図４】本発明の実施の形態２におけるコイル部品の一例であるコモンモードノイズフィルタの斜視図
【図５】同コモンモードノイズフィルタの上面図
【図６】同コモンモードノイズフィルタの分解斜視図
【図７】本発明の実施の形態３におけるコイル部品の一例であるコモンモードノイズフィルタの分解斜視図
【図８】同コモンモードノイズフィルタの主要部の上面図
【図９】同コモンモードノイズフィルタの他の例を示す分解斜視図
【図１０】同コモンモードノイズフィルタの他の例を示す主要部の上面図
【図１１】従来のコイル部品の斜視図
【図１２】同コイル部品の分解斜視図
【符号の説明】
【００６７】
１１  第１のコイル導体
１１ａ  第１のコイル導体の一端部
１１ｂ  第１のコイル導体の他端部
１２  第１の引出電極
１２ａ  第１の引出電極の一端部
１２ｂ  第１の引出電極の他端部
１３ａ  第１のビア
１３ｂ  第２のビア
１３ｃ  第３のビア
１４  第２のコイル導体
１４ａ  第２のコイル導体の一端部
１４ｂ  第２のコイル導体の他端部
１５  第２の引出電極
１５ａ  第２の引出電極の一端部
１５ｂ  第２の引出電極の他端部
１６ａ〜１６ｅ  第１〜第５の絶縁層
１７  本体
１７ａ  本体の端面
１７ｂ  本体の上面
１７ｃ  本体の下面
１８〜２１  第１〜第４の外部電極
２２  バンプ
２３  絶縁膜
２５  磁性部
【図１】
2008198923.tif 000003
【図２】
2008198923.tif 000004
【図３】
2008198923.tif 000005
【図４】
2008198923.tif 000006
【図５】
2008198923.tif 000007
【図６】
2008198923.tif 000008
【図７】
2008198923.tif 000009
【図８】
2008198923.tif 000010
【図９】
2008198923.tif 000011
【図１０】
2008198923.tif 000012
【図１１】
2008198923.tif 000013
【図１２】
2008198923.tif 000014